(57)【特許請求の範囲】
【請求項１】
トイレットペーパー等のロール状のペーパーを液体で溶化することによって切断するペーパーホルダーであって、
前記ペーパーを収納する収納部と、
前記収納されたロール状ペーパーから引出されたペーパーがその前面部を通過し、第１の位置と第２の位置とで回動自在であって、且つ前記第１の位置となるように付勢されているフラップ機構と、
前記前面部から前記ペーパーの引出側に一定距離離れた位置に設置され、前記通過したペーパーが前記前面部を前記第２の位置に移動させることによってその位置が変化した該ペーパーの一部に対してその幅方向に接し、これを溶化する切断機構と、
前記ペーパーを前記フラップ機構の位置にかかわらず引き出し自在とすると共に、引出されている途中の前記ペーパーに前記前面部の前記第２の位置への移動を可能とするほぼ一定の張力を付与する張力付与手段とを備えた、ペーパーホルダー。
【請求項２】
前記張力付与手段は、前記収納部と前記フラップ機構との間に設けられ、
前記引出されたペーパーをガイドするガイドローラーと、
前記ガイドローラーに対向して設置され、前記ガイドローラーとの間を通過する前記引出されたペーパーを、前記ガイドローラーとで押圧する押えローラーとを含む、請求項１記載のペーパーホルダー。
【請求項３】
前記収納部、前記フラップ機構及び前記切断機構は収納体を構成し、
前記収納体を覆うように形成され、前記収納体に対して軸を中心として開閉自在の蓋体が設けられ、
前記ガイドローラーは前記収納体に取付けられ、前記押えローラーは前記蓋体に取付けられる、請求項２記載のペーパーホルダー。
【請求項４】
前記蓋体は、前記収納体に対して閉じる方向への移動が規制され、
前記蓋体に固定された支持片に形成された垂直方向の長穴によって前記押えローラーの回転軸が保持される、請求項３記載のペーパーホルダー。
【請求項５】
前記ロール状のペーパーは回転しながら引出され、
前記張力付与手段は、前記ロール状のペーパーに回転抵抗を付与する回転抵抗付与手段を含む、請求項１記載のペーパーホルダー。
【請求項６】
前記回転抵抗付与手段は、前記ロール状のペーパーの円筒状のペーパー芯の内部に収納され、その一部が接した状態で回動自在に保持された円柱状の重りローラーを含む、請求項５記載のペーパーホルダー。
【請求項７】
前記収納部に一端が回動自在に取付けられた支持アームを更に備え、
前記重りローラーは、前記支持アームの他端に対して回動自在に取付けられる、請求項６記載のペーパーホルダー。
【請求項８】
ペーパーを液体で溶化することによって切断するペーパー切断装置であって、
前記ペーパーが通過する前面部が第１の位置と第２の位置とで移動自在であって、且つ前記第１の位置となるように付勢されている移動機構と、
前記移動機構とは一定距離離れて設置され、前記通過したペーパーが前記前面部を前記第２の位置に移動させることによってその位置が変化した該ペーパーに対して幅方向に接して、これを溶化する切断機構と、
前記ペーパーを前記移動機構の位置にかかわらず引き出し自在とすると共に、前記前面部の前記第２の位置への移動を可能とするほぼ一定の張力を、通過している途中の前記ペーパーに付与する張力付与手段とを備えた、ペーパー切断装置。
【発明の詳細な説明】
【０００１】
【発明の属する技術分野】
この発明はペーパーホルダー及びペーパー切断装置に関し、特にトイレットペーパー等のロール状のペーパーを水で溶化して切断するペーパーホルダー及びペーパー切断装置に関するものである。
【０００２】
【従来の技術】
従来のトイレットペーパーホルダーは、ロール状のトイレットペーパーが回動自在に保持され、そのトイレットペーパーをその端部が切断刃となるカバーが覆っている。カバーは軸を中心に回動自在に構成され、トイレットペーパーをセットする際には移動させた状態で行う。
【０００３】
使用時には、カバーをトイレットペーパーを覆う位置に戻し、トイレットペーパーをもう一方の手で引出して、カバーの端部を一方の手で押えた状態でこれを引っ張るように力を加えてカバーの端部に沿って切断する。
【０００４】
【発明が解決しようとする課題】
上記のような従来のトイレットペーパーホルダーでは、トイレットペーパーを切断するには両手を使う必要があり、肢体が不自由な人にとっては使い勝手が良いとは言えなかった。
【０００５】
又、切断されたトイレットペーパーの端部はカバーの下に残ることになるため、次に使用する際、トイレットペーパーが摘みにくい。カバーを開けて摘もうとしても、トイレットペーパーの端部はトイレットペーパーの外周自体に沿って密着していることも多いため、やはり摘みにくい。
【０００６】
この発明は上記のような課題を解決するためになされたもので、片手だけの使用を可能とし、且つペーパーの端部を容易に摘むことができるペーパーホルダー及びペーパー切断装置を提供することを目的とする。
【０００７】
【課題を解決するための手段】
上記の目的を達成するために、請求項１記載の発明は、トイレットペーパー等のロール状のペーパーを液体で溶化することによって切断するペーパーホルダーであって、ペーパーを収納する収納部と、収納されたロール状ペーパーから引出されたペーパーがその前面部を通過し、第１の位置と第２の位置とで回動自在であって、且つ第１の位置となるように付勢されているフラップ機構と、前面部からペーパーの引出し側に一定距離離れた位置に設置され、通過したペーパーが前面部を第２の位置に移動させることによって位置が変化したペーパーの一部に対してその幅方向に接し、これを溶化する切断機構と、ペーパーをフラップ機構の位置にかかわらず引き出し自在とすると共に、引出されている途中のペーパーに前面部の第２の位置への移動を可能とするほぼ一定の張力を付与する張力付与手段とを備えたものである。
【０００８】
このように構成すると、引出されている途中のペーパーを切断機構に接近させようとするとフラップ機構の前面部は第２の位置に移動してこれを妨げない。また、張力付与手段は、フラップ機構のとり得る位置にかかわらずペーパーの引出しを妨げない。
【０００９】
請求項２記載の発明は、請求項１記載の発明の構成において、張力付与手段は収納部とフラップ機構との間に設けられ、引出されたペーパーをガイドするガイドローラーと、ガイドローラーに対向して設置され、ガイドローラーとの間を通過する引出されたペーパーを、ガイドローラーとで押圧する押えローラーを含むものである。
【００１０】
このように構成すると、引出されたペーパーはガイドローラーと押えローラーとの間の通過時に抵抗を受ける。
【００１１】
請求項３記載の発明は、請求項２記載の発明の構成において、収納部、フラップ機構及び切断機構は収納体を構成し、収納体を覆うように形成され、収納体に対して軸を中心として開閉自在の蓋体が設けられ、ガイドローラーは収納体に取付けられ、押えローラーは蓋体に取付けられるものである。
【００１２】
このように構成すると、蓋体を開けた状態でロール状ペーパーを収納してガイドローラー上にペーパーを引出し、その後蓋体を閉じると引出されたペーパーはガイドローラーと押えローラーとの間で挟まれた状態となる。
【００１３】
請求項４記載の発明は、請求項３記載の発明の構成において、蓋体は収納体に対して閉じる方向への移動が規制され、蓋体に固定された支持片に形成された垂直方向の長穴によって押えローラーの回転軸が保持されるものである。
【００１４】
このように構成すると、押えローラーの自重によってペーパーに加わる力が一定となる。
【００１５】
請求項５記載の発明は、請求項１記載の発明の構成において、ロール状のペーパーは回転しながら引出され、張力付与手段は、ロール状のペーパーに回転抵抗を付与する回転抵抗付与手段を含むものである。
【００１６】
このように構成すると、ロール状のペーパーを引出すと引出されたペーパーに張力が生じる。
【００１７】
請求項６記載の発明は、請求項５記載の発明の構成において、回転抵抗付与手段は、ロール状のペーパーの円筒状のペーパー芯の内部に収納され、その一部が接した状態で回動自在に保持された円柱状の重りローラーを含むものである。
【００１８】
このように構成すると、ペーパー芯の回転、すなわちロール状のペーパーの回転に抵抗が生じる。
【００１９】
請求項７記載の発明は、請求項６記載の発明の構成において、収納部に一端が回動自在に取付けられた支持アームを更に備え、重りローラーは、支持アームの他端に対して回動自在に取付けられるものである。
【００２０】
このように構成すると、ペーパー芯の移動は重りローラーによって拘束され、ペーパーの回転抵抗は重りローラーの重量によって定まることになる。
【００２１】
請求項８記載の発明は、ペーパーを液体で溶化することによって切断するペーパー切断装置であって、ペーパーが通過する前面部が第１の位置と第２の位置とで移動自在であって、且つ第１の位置となるように付勢されている移動機構と、移動機構とは一定距離離れて設置され、通過したペーパーに対して前面部を第２の位置に移動させることによってその位置が変化した該ペーパーの幅方向に接して、これを溶化する切断機構と、ペーパーを移動機構の位置にかかわらず引き出し自在とすると共に、前面部の第２の位置への移動を可能とするほぼ一定の張力を、通過している途中のペーパーに付与する張力付与手段とを備えたものである。
【００２２】
このように構成すると、移動機構を通過している途中のペーパーを切断機構に接近させようとすると、移動機構の前面部が第２の位置に移動してこれを妨げない。また、張力付与手段は、移動機構のとり得る位置にかかわらずペーパーの引き出しを妨げない。
【００２３】
【発明の効果】
以上説明したように、請求項１記載の発明は、引出されている途中のペーパーを切断機構に接近させると、フラップ機構の前面部は第２の位置に移動するため、容易にペーパーを所望の位置で切断することができる。又、フラップ機構の位置にかかわらず、ペーパーに対して必要以上に張力が付与されることなく、ペーパーが自在に引出され、所望の位置以外でペーパーが切断されてしまうことを防止することができるので、切断機構により確実に所望の位置でペーパーを切断することが可能となる。更に、切断されるとペーパーに生じだ張力が消失するため、フラップ機構の前面部は第１の位置に復帰する。従って、前面部の移動でペーパーの端部は切断機構から離れるため、液体の染み込みの拡散が防止されると共にその端部が掴み易くなるため、次のペーパーの引出しが容易となり使い勝手が向上する。
【００２４】
請求項２記載の発明は、請求項１記載の発明の効果に加えて、引出されたペーパーはガイドローラーと押えローラーとの間の通過時に抵抗を受けるため、ペーパーの引出し状態において所望の張力をペーパーに付与することができる。
【００２５】
請求項３記載の発明は、請求項２記載の発明の効果に加えて、蓋体を閉じることによって引出されたペーパーはガイドローラーと押えローラーとの間で挟まれた状態となるため、容易にロール状ペーパーをセットできると共に、直ちに使用可能な状態となるため、使い勝手が向上する。
【００２６】
請求項４記載の発明は、請求項３記載の発明の効果に加えて、ペーパーに加わる力が押えローラーの自重によって一定となるため、蓋体に力が加わった場合でも、安定した張力がペーパーに付与されるため使用の信頼性が向上する。
【００２７】
請求項５記載の発明は、請求項１記載の発明の効果に加えて、ペーパーを引出すとロール状のペーパーが回転し、これに伴って引出されたペーパーに張力が生じるため、前面部の第２の位置への移動が容易となり使い勝手が良い。
【００２８】
請求項６記載の発明は、請求項５記載の発明の効果に加えて、重りローラーによってロール状のペーパーの回転に抵抗が生じるため、引出されたペーパーに所望の張力が生じる。
【００２９】
請求項７記載の発明は、請求項６記載の発明の効果に加えて、ペーパーの回転状態が安定し、且つ重りローラーの重量によって引出し時のペーパーの張力を調整できるため使い勝手が良い。
【００３０】
請求項８記載の発明は、移動機構を通過中のペーパーを切断機構に接近させようとすると移動機構の前面部が移動してこれを妨げないため、容易にペーパーを所望の位置で切断することができる。又、移動機構の位置にかかわらず、ペーパーに対して必要以上に張力が付与されることなく、ペーパーが自在に引出され、所望の位置以外でペーパーが切断されてしまうことを防止することができるので、切断機構により確実に所望の位置でペーパーを切断することが可能となる。更に、切断されるとペーパーに生じた張力が消失するため、移動機構の前面部は第１の位置に復帰する。従って、前面部の移動でペーパーの端部は切断機構から離れるため、液体の染み込みの拡散が防止されると共に、その端部が掴みやすくなるため次の引出しが容易となり使い勝手が向上する。
【００３１】
【発明の実施の形態】
図１はこの発明の第１の実施の形態によるトイレットペーパーホルダーの外観形状を示す正面図であり、図２はその右側面図であり、図３は図１で示したＩＩＩ−ＩＩＩラインの断面図であり、図４は図１で示したＩＶ−ＩＶラインの断面図である。
【００３２】
これらの図を参照して、トイレットペーパーホルダー１１はトイレットペーパーを収納するお椀形状の収納体１３と、収納体１３の側壁上端部の軸２７ａ，軸２７ｂを介して回動自在に取付けられ、収納体１３を開閉自在に覆う蓋体１４とから構成されている。収納体１３の側壁にはストッパー２３ａ，ストッパー２３ｂが取付けられ、蓋体１４が収納体１３を覆うように移動した際の一定以上の下方向への移動を阻止している。
【００３３】
収納体１３の側壁の各々の前方部には、図４で示されているように軸２８ａ，軸２８ｂを中心として回動自在なフラップ機構１７が取付けられている。フラップ機構１７は、長方形平板形状の前面部３５と、前面部３５の両端からブーメラン形状に伸びる支持部３６ａ，支持部３６ｂとから構成されている。支持部３６ａ，支持部３６ｂの各々は、軸２８ａ，軸２８ｂを中心として回動自在に収納体１３の両側面の各々に取付けられている。
【００３４】
支持部３６ａは軸２８ａから後方へ伸びる長さを、軸２８ａから前面部３５に接続する部分に伸びる部分の長さより充分大きくしている。これによって、図４で言えばフラップ機構１７に対して軸２８ａを中心として時計方向周りに回転するモーメントを付与するように構成されている。そして、支持部３６ａの後方に伸びる部分の下方にはストッパー２９ａが収納体１３の右側面に取付けられており、その位置で支持部３６ａの時計方向周りの回転を阻止している。この状態で、フラップ機構１７の前面部３５は、収納体１３に被さった状態の蓋体１４の前端部から下方に露出した状態に設置されている。
【００３５】
このようにフラップ機構１７は、図４において示しているように実線で示した第１の位置と２点鎖線で示した第２の位置との間で回動自在となっている。フラップ機構１７の形状とその回動軸との関係から生じる、軸２８ａ，軸２８ｂを中心とした回転モーメントが、フラップ機構１７を通常時には第１の位置となるように付勢していることになる。尚、フラップ機構１７の前面部３５の先端は、図４で示した２点鎖線の第２の位置に移動したとき、切断機構１６の舌片２０に対して一定距離を有するように位置付けられている。
【００３６】
収納体１３の両側壁の内方側には軸２８ａ，軸２８ｂの位置において回動自在なガイドローラー２４が取付けられている。このガイドローラー２４は、フラップ機構１７の軸２８ａ，軸２８ｂに対する回動とは別個独立に回動するものである。そしてガイドローラー２４に対向する上方位置に軸３２を中心として回動自在な押えローラー２５が取付けられている。押えローラー２５は、蓋体１４の内側に固定された支持片３１ａ，支持片３１ｂによってその軸３２が支持されている。
【００３７】
尚、軸３２は支持片３１ａに形成された上下方向に伸びる長穴３３によって保持されている。このように構成することによって、ガイドローラー２４に対して加わる押えローラー２５の下方向への押圧力は、その自重によって定まり常に一定な値となる。なぜなら蓋体１４の下方向への移動はストッパー２３ａ，ストッパー２３ｂによって規制され、押えローラー２５の上下方向への移動は、支持片３１ａ，支持片３１ｂに形成された長穴３３の形状によって移動自在となるためである。
【００３８】
尚、図３に示されているように、収納体１３の前端部とその後方部から立ち上がる仕切板４５とで囲われたスペースには、切断機構１６が着脱自在に取付けられている。切断機構１６は水が保留されるタンク１９と、タンク１９の下部から前方に突き出た板状の舌片２０とから構成されている。舌片２０はこの実施の形態においては多孔性物質よりなり、タンク１９にスポンジ等を介して保留された水がその先端部から染み出すように機能するものである。又、フラップ機構１７の前面部３５の前端中央には、楕円状の切欠部２２が形成されている。これによって後述するようにトイレットペーパーの先端の引出しをより容易としている。
【００３９】
図５は図３に示した断面図に対応するものであって、トイレットペーパーホルダーの使用開始状態を示した断面図である。
【００４０】
図を参照して、使用に当たっては、図３に示した状態から蓋体１４を回動させて上方に持ち上げる。これによって収納体１３の上方部が開放状態となる。この状態でロール状のトイレットペーパー３８を収納体１３に収納する。このとき、従来のトイレットペーパーホルダーのようにトイレットペーパー３８の中心部を筒状の支持部材等によって支持させる必要はなく、収納体１３内にそのまま収納させるだけで良い。
【００４１】
そしてトイレットペーパー３８のペーパー端部３９を、ガイドローラー２４の上方部からフラップ機構１７の前面部３５の上方部に垂らすようにセットする。この時、ペーパー端部３９を前面部３５の端部からやや下方となるようにセットするのが好ましい。収納体１３の上方部は開放状態であり、又ガイドローラー２４に対向して設置されている押えローラー２５は蓋体１４側に取付けられているため、このセットは極めて容易となる。
【００４２】
トイレットペーパー３８の収納とペーパー端部３９のセットとを完了すると蓋体１４を反時計方向周りに回転させて収納体１３の上方部を覆うように移動させる。
【００４３】
図６は図５の状態から蓋体１４の元の位置への復帰が完了した状態を示した断面図である。
【００４４】
図を参照して、蓋体１４が元の位置に移動すると、トイレットペーパー３８から引出されたペーパー端部３９は、ガイドローラー２４と押えローラー２５との間で挟まれ、且つ蓋体１４の前縁部４１の下方からフラップ機構１７の前面部３５を通過して前方に引出された状態となる。この状態でトイレットペーパー３８のペーパー中間部４０は、押えローラー２５の自重によってガイドローラー２４との間で押圧された状態となる。この図６に示した状態になると、トイレットペーパーホルダーの使用開始の準備が完了し、直ちに使用が可能となる。すなわち、蓋体１４を開けてトイレットペーパー３８を投入してその端部を引き出し、蓋体１４を閉めるだけの動作で極めて簡単に準備が完了するため、使い勝手が良い。
【００４５】
図７は図６の要部を示したものであって、トイレットペーパーホルダー１１の使用状況の変化を示した図である。
【００４６】
その（１）は図６で示したトイレットペーパー３８のセット状態に対応した図である。すなわち、トイレットペーパー３８はガイドローラー２４と押えローラー２５との間で押圧された状態で前方に引出され、そのペーパー端部３９はフラップ機構１７の前面部３５を通過して、前面部３５の下方端よりやや長く下方に引出された状態となっている。このときのフラップ機構１７の前面部３５の位置は、上述のようにフラップ機構１７の回転モーメントによる付勢によって、図の位置（第１の位置）となっている。すなわち、前面部３５は切断機構１６の舌片２０に対して前方且つ上方に位置している。従って、トイレットペーパー３８のペーパー端部３９は、この状態では切断機構１６の舌片２０に接することはない。
【００４７】
この状態から図７の（２）に示されているようにペーパー端部３９を掴んで下方向に、すなわち矢印の方向に引出すように力を加える。尚、ペーパー端部３９は前面部３５の下端より若干下方に位置させているが、仮にペーパー端部の下端が前面部３５の最下端に整列した状態となっていても、前面部３５には切欠部２２が形成されているため、ペーパー端部３９の一部を掴むことは容易となる。このとき、ガイドローラー２４及び押えローラー２５は各々矢印の方向に回転するため、トイレットペーパー３８のスムーズな引出しが可能となる。ペーパー端部３９を掴んで所望の長さまでトイレットペーパー３８を引出した後、図７の（３）に示されているように、ペーパー端部３９に対して矢印の方向に力を加えて、ペーパー中間部４０を切断機構１６の舌片２０に接するように移動させる。
【００４８】
このとき、トイレットペーパー３８は押えローラー２５の自重によってガイドローラー２４との間で押圧された状態となるため、ペーパー中間部４０の引出し状態に抵抗を与えて一定の張力を生じさせることになる。この張力によってフラップ機構１７の前面部３５は図７の（１）に示した状態からその（３）に示した位置（第２の位置）に変化することになる。
【００４９】
このときのフラップ機構１７に加わる力の釣合を示したのが図８である。
【００５０】
図を参照して、上述のようにガイドローラー２４と押えローラー２５との間の押圧による抵抗によって、トイレットペーパー３８には張力Ｔが生じることになる。尚、この張力Ｔは、トイレットペーパー３８の引張り強度より当然小さなものとなるように設定されている。このときフラップ機構１７の前面部３５の下方端部とトイレットペーパー３８とが接する位置を点Ａとする。この場合点Ａにおける前面部３５に対するトイレットペーパー３８の滑りを無視すると、点Ａにおいて前面部３５には下方向にＴの力が加わることになる。そしてフラップ機構１７を回動自在とする軸２８ａ，軸２８ｂの位置とトイレットペーパー３８との垂直距離をＬとすると、トイレットペーパー３８に加わる張力Ｔによってフラップ機構１７には反時計方向周りの回転モーメントＭ１が生じることになる。すなわち、
Ｍ１＝Ｔ×Ｌ
となる。一方、フラップ機構１７には固有の時計方向周りの回転モーメントＭが生じるような構造となっている。従って、
Ｍ１＞Ｍ
となるようにこれらのモーメントの大きさを調整しておけば、フラップ機構１７は図８で示した状態から反時計方向周りに回転することになる。これによって図７の（３）に示した状態にフラップ機構１７の前面部３５は移動する。すなわち、押えローラー２５及びガイドローラー２４は、引き出されたトイレットペーパー３８に前面部３５の移動を可能とする張力を付与する張力付与手段を構成する。
【００５１】
この移動に伴ないトイレットペーパー３８のペーパー中間部４０は切断機構１６側に移動することが可能となり、切断機構１６の舌片２０に接した状態が実現される。尚、舌片２０の幅方向、すなわち図面においては貫通する方向の長さはトイレットペーパー３８の幅方向長さより大きく設定されている。従って、水が供給される舌片２０の先端に接したトイレットペーパー３８の部分は幅方向に全て溶化され、切断されることになる。
【００５２】
この状態を示したのが図７の（４）である。舌片２０によってその接した部分が溶化されて切断されると、それより下方の切断ペーパー４２は矢印の方向に落下する。一方、舌片２０によって切断されたトイレットペーパー３８のペーパー端部３９に対しては、生じていた張力がこの切断によって消失する。すると図８でも明白なように、張力Ｔの消失によってフラップ機構１７に加わっていた反時計方向周りの回転モーメントが消滅し、フラップ機構１７に固有の時計方向周りの回転モーメントＭの働きによって前面部３５は元の位置に復帰するように移動する。
【００５３】
前面部３５が矢印の方向に移動すると、その前面に沿っていたトイレットペーパー３８のペーパー中間部４０は共に舌片２０から離れるように移動する。これによってペーパー端部３９の下方端への舌片２０の水分の供給は停止され、ペーパー端部３９からトイレットペーパー３８へ水分がそれ以上拡散する恐れはない。そして前面部３５の下端と舌片２０との間には一定距離が確保されているため、切断後においてはペーパー端部３９は必ず前面部３５の端部より下方に位置した状態となる。そのため、切断後以降の使用においては、トイレットペーパー３８のペーパー端部３９は必ず掴み代として残ることになり、使い易さが確実に確保される。
【００５４】
以後、図７の（１）から（４）までの動作が繰返され、使い易さが継続する。
【００５５】
尚、上記の実施の形態では、トイレットペーペーの切断を前提としているが、トイレットペーパー以外のものであってもロール状のペーパーであって水によって溶化するものであれば同様に適用できる。又、ロール状でなくても帯状に供給されるペーパーであって水に溶化するものであっても良い。
【００５６】
又、上記の実施の形態では、フラップ機構の付勢は回転モーメントによっているが、バネ等の他の付勢手段によって付勢しても良い。
【００５７】
更に、上記の実施の形態では、押えローラーによる押圧によってトイレットペーパーに張力を与えているが、一定の摩擦面を通過させるような他の方法で張力を付与するように構成しても良い。
【００５８】
更に、上記の実施の形態では、押えローラは蓋体に取り付けられているが、収納体側に取り付けるように構成しても良い。
【００５９】
更に、上記の実施の形態では、蓋体の下方への移動を規制し、押えローラを長穴にて軸支しているが、蓋体の規制をなくし押えローラを通常の丸穴にて軸支するように構成しても良い。
【００６０】
更に、上記の実施の形態では、水による溶化によってトイレットペーパーを切断しているが、溶化させて切断できるものであれば他の液体を使用しても良い。又、溶化とは、ペーパーを構成する繊維が液体の浸透によって溶けて分解することによって切断を生じるもののみならず、液体の浸透によって繊維同士の結合が外れて切断を生じるものも含む概念である。
【００６１】
図９はこの発明の第２の実施の形態によるトイレットペーパーホルダーの概略断面形状を示した図である。
【００６２】
この実施の形態によるトイレットペーパーホルダーは先の第１の実施の形態によるものと比べて、蓋体が設けられていない点が大きな相違である。従って、この実施の形態においては、引出されたトイレットペーパーに張力を付与する押えローラーが設けられていない。
【００６３】
図９を参照して、トイレットペーパーホルダー１１は上方が開放された箱型形状の収納体１３を中心として構成されている。収納体１３の前方、すなわち図においては左側方向において切断機構１６が着脱自在に取付けられ、その上方にガイドローラー２４が取付けられている。そして更にこれらの図における左側において揺動自在のフラップ機構１７が取付けられている。図においては、フラップ機構１７の前面部３５が断面として示されている。尚、切断機構１６、ガイドローラー２４及びフラップ機構１７については先の実施の形態と同様であり、又、溶化によるトイレットペーパーの切断の原理も同様であるため、ここでの説明は繰返さない。
【００６４】
収納体１３の前方側には支持体５３が固定され、支持体５３の上方側において支持アーム５６が軸５４を中心として回動自在に取付けられている。又、支持アーム５６の他方端には軸５７を介して回動自在の円柱状の重りローラー５９が取付けられている。尚、重りローラー５９の軸方向長さは、収納体１３に収納するトイレットペーパー３８の軸方向長さにほぼ対応したものとなっている。又、支持体５３の上方には収納体１３の両側壁に掛け渡され、回動自在のガイドローラー６０が取付けられている。
【００６５】
使用にあたっては、図９に示された状態から支持アーム５６を軸５４を中心として反時計方向周りに回転させて、これを重りローラー５９とともに上方に持ち上げる。重りローラー５９を収納体１３の側壁の上端より上方に移動させた状態で、収納体１３に収納すべきトイレットペーパー３８をそのペーパー芯５１内に重りローラー５９が挿通するようにセットする。そしてこの状態でトイレットペーパー３８を支持アーム５６及び重りローラー５９と共に下方に移動させて、その下面が収納体１３の上面に接するようにセットする。次にトイレットペーパー３８から引出したペーパー端部３９をガイドローラー６０の上面からガイドローラー２４の上面に掛け渡し、更にフラップ機構１７の前面部３５の上を通過するようにセットする。
【００６６】
次にペーパー端部３９を掴んで下方向に引出すように力を加える。するとトイレットペーパー３８は時計方向周りに回転しながら引出されることになる。この時、トイレットペーパー３８のペーパー芯５１もトイレットペーパー３８と一体となって同様に時計方向周りに回転する。ペーパー芯５１内には上述のように軸５７を中心として回動自在の重りローラー５９がセットされており、且つ軸５７を支持する支持アーム５６は軸５４を中心として回動自在となっている。
【００６７】
従って、重りローラー５９の下方端は常にペーパー芯５１の内面に当接した状態となる。そのため、ペーパー芯５１の時計方向周りの回転に伴って重りローラー５９も同様に時計方向周りに回転する。この時、重りローラー５９の重量Ｗは矢印の方向に加わることになる。このためトイレットペーパー３８は、その自重に重りローラー５９の重量を加えた力で収納体１３の上面に押付けられ、この状態で時計方向周りに回転することになる。従って、トイレットペーパー３８は、重りローラー５９がセットされていない状態に比べて大きな回転抵抗を生じることになる。
【００６８】
このトイレットペーパー３８の回転抵抗によって、ペーパー端部３９の引出し時に引出されたペーパーに張力が生じることになる。この張力は重りローラー５９の重量に依存することになるため、重りローラー５９の重量を調整することによって、フラップ機構１７の前面部３５を移動させるのに必要なペーパーの張力を適切に調整することが可能となる。すなわち、この実施の形態においては、重りローラー５９が、引出されたペーパーにフラップ機構１７の前面部３５の移動を可能とする張力を付与する張力付与手段を構成し、更に、トイレットペーパー３８の回転に抵抗を加える回転抵抗手段を構成することになる。
【００６９】
尚、この実施の形態においては、重りローラー５９を支持体５３及び支持アーム５６を介して収納体１３に取付けているが、張力を引出されたペーパーに付与するという目的においては、重りローラー５９を単独でトイレットペーパー３８のペーパー芯５１内に収納するように構成することも可能である。
【００７０】
この実施の形態におけるペーパーホルダーにあっては、先の実施の形態のような蓋体がないためトイレットペーパー３８のセットがより簡単になるとともに、トイレットペーパー３８の減少状態が容易に確認できるためより使い勝手が良い。
【００７１】
図１０は図９で示した実施の形態によるペーパーホルダーの使用状態の変化を示した概略断面図である。
【００７２】
図を参照して、その（１）においては図９に示した状態に比べてトイレットペーパー３８がやや減少した状態を示しており、その（２）においてはトイレットペーパー３８がかなり減少した状態を示している。
【００７３】
トイレットペーパー３８からペーパーが引出されて使用されると、トイレットペーパー３８の外径は徐々に減少する。この減少に伴ってペーパー芯５１の位置は徐々に下方に移動することになる。重りローラー５９は支持アーム５６に対して回動自在に取付けられ、支持アーム５６は支持体５３に対して回動自在に取付けられているため、ペーパー芯５１の移動に伴って支持アーム５６及び重りローラー５９も下方に移動することになる。そしてトイレットペーパー３８の残量に関わらず重りローラー５９はペーパー芯５１の内面に常に回動自在に当接しているため、重りローラー５９の重量Ｗはペーパー芯５１を介してトイレットペーパー３８に常に加わった状態が維持される。これによって図１０の（２）に示されているようにトイレットペーパー３８の残量がかなり少なくなった場合においても、重りローラー５９の重量Ｗによって一定以上の回転抵抗をトイレットペーパー３８に付与した状態が維持される。このようにして、引出されたペーパーにはその使用状態にかかわらず常に一定以上の張力が生じるので、安定した溶化による切断が可能となる。
【００７４】
尚、上記の第２の実施の形態では、重りローラーによってロール上のペーパーに回転抵抗を付与しているが、これに代えて、例えば一定の摩擦力をペーパーに加えて回転抵抗を高めるような他の方法によるものであっても良い。
【００７５】
又、上記の第２の実施の形態では、第１の実施の形態のような蓋体が設けられていないが、蓋体を設けるように構成しても良い事は言うまでもない。
【図面の簡単な説明】
【図１】  図１はこの発明の第１の実施の形態によるトイレットペーパーホルダーの外観形状を示した正面図である。
【図２】  図１で示したトイレットペーパーホルダーの外観形状を示した右側面図である。
【図３】  図１で示したＩＩＩ−ＩＩＩラインの断面図である。
【図４】  図１で示したＩＶ−ＩＶラインの断面図である。
【図５】  図３に示した断面図に対応する図であって、使用状態の１例を示した断面図である。
【図６】  図５に示した状態から蓋体を閉じた状態の断面図である。
【図７】  図６で示した断面図の要部を示した図であって、使用状態の変化を示した図である。
【図８】  図７で示したフラップ機構の移動状態を説明するための力の釣合を示した図である。
【図９】  この発明の第２の実施の形態によるトイレットペーパーホルダーの概略形状を示した断面図である。
【図１０】  図９で示したトイレットペーパーホルダーの使用状態の変化を示した概略断面図である。
【符号の説明】
１１…トイレットペーパーホルダー
１３…収納体
１４…蓋体
１５…収納部
１６…切断機構
１７…フラップ機構
２０…舌片
２３…ストッパー
２４…ガイドローラー
２５…押えローラー
３１…支持片
３３…長穴
３５…前面部
３８…トイレットペーパー
５１…ペーパー芯
５４…軸
５６…支持アーム
５７…軸
５９…重りローラー
尚、各図中同一符号は同一又は相当部分を示す。
【図１】
0003761853.tif 000002
【図２】
0003761853.tif 000003
【図３】
0003761853.tif 000004
【図４】
0003761853.tif 000005
【図５】
0003761853.tif 000006
【図６】
0003761853.tif 000007
【図７】
0003761853.tif 000008
【図８】
0003761853.tif 000009
【図９】
0003761853.tif 000010
【図１０】
0003761853.tif 000011